(57)【要約】コンテンツ配信装置（２００）から携帯電話網（３００）を介して移動端末（４００）へのコンテンツの配信に際し、前記コンテンツ配信装置（２００）と前記移動端末（４００）との間で送受される情報の配信元を抽出する配信元抽出手段と、前記情報の配信元及び／または前記情報の内容に基づいて課金ルールを設定する課金ルール設定手段と、前記課金ルールに基づいて前記コンテンツの配信に対する通信料金を計算する課金手段と、を備える移動通信サービス課金装置（１００）。
2002093835.tif 000002
【特許請求の範囲】
【請求項１】
コンテンツ配信装置から移動端末へのコンテンツの配信に際し、前記コンテンツ配信装置と前記移動端末との間で送受される情報の配信元を抽出する配信元抽出手段と、
前記配信元情報抽出手段により抽出された配信元情報及び又は前記情報の内容に基づいて課金ルールを設定する課金ルール設定手段と、
前記課金ルール設定手段により設定された課金ルールに基づいて、前記コンテンツの配信に対する通信料金を計算する課金手段と、
を備える移動通信サービス課金装置。
【請求項２】
請求項１に記載の移動通信サービス課金装置において、
前記課金ルールを登録する課金ルール登録手段を備え、
前記課金ルール設定手段は、前記課金ルール登録手段により登録された課金ルールの中から、前記情報の内容に基づいて課金ルールを設定するようにした移動通信サービス課金装置。
【請求項３】
請求項１又は２に記載の移動通信サービス課金装置において、
前記配信元抽出手段は、前記コンテンツ配信装置から前記移動端末へ配信されるコンテンツとともに送信される当該コンテンツの配信元情報を抽出するようにした移動通信サービス課金装置。
【請求項４】
請求項１又は２に記載の移動通信サービス課金装置において、
前記配信元抽出手段は、前記移動端末から前記コンテンツ配信装置へ送信されるコンテンツ配信要求に含まれる配信元情報を抽出するようにした移動通信サービス課金装置。
【請求項５】
請求項１に記載の移動通信サービス課金装置において、
前記コンテンツ配信装置から前記移動端末へ配信されるコンテンツとともに送信される課金ルールを抽出する課金ルール抽出手段を備え、
前記課金ルール設定手段は、前記課金ルール抽出手段により抽出された課金ルールを設定するようにした移動通信サービス課金装置。
【請求項６】
請求項５に記載の移動通信サービス課金装置において、
前記配信元抽出手段は、前記移動端末から前記コンテンツ配信装置へ送信されるコンテンツ配信要求に含まれる配信元情報を抽出し、
前記課金ルール設定手段は、前記抽出された配信元情報に対応するコンテンツ配信装置から送信される課金ルールを、前記情報の内容に応じた課金ルールとして設定するようにした移動通信サービス課金装置。
【請求項７】
請求項１乃至６の何れかに記載の移動通信サービス課金装置において、
前記コンテンツ配信装置と前記移動端末との間で送受される情報の情報量を測定する情報量測定手段を備え、
前記課金手段は、前記課金ルール設定手段により設定された課金ルールに基づいて、前記情報量測定手段により測定された情報量に応じた通信料金を計算するようにした移動通信サービス課金装置。
【請求項８】
コンテンツ配信装置から移動端末へのコンテンツの配信に際し、前記コンテンツ配信装置と前記移動端末との間で送受される情報の配信元を抽出し、
前記抽出した配信元情報及び又は前記情報の内容に基づいて課金ルールを設定し、
前記設定した課金ルールに基づいて、前記コンテンツの配信に対する通信料金を計算するようにした移動通信サービス課金方法。
【請求項９】
請求項８に記載の移動通信サービス課金方法において、
前記課金ルールを登録し、
前記登録した課金ルールの中から、前記情報の内容に基づいて課金ルールを設定するようにした移動通信サービス課金方法。
【請求項１０】
請求項８又は９に記載の移動通信サービス課金方法において、
前記コンテンツ配信装置から前記移動端末へ配信されるコンテンツとともに送信される当該コンテンツの配信元情報を抽出するようにした移動通信サービス課金方法。
【請求項１１】
請求項８又は９に記載の移動通信サービス課金方法において、
前記移動端末から前記コンテンツ配信装置へ送信されるコンテンツ配信要求に含まれる配信元情報を抽出するようにした移動通信サービス課金方法。
【請求項１２】
請求項１に記載の移動通信サービス課金方法において、
前記コンテンツ配信装置から前記移動端末へ配信されるコンテンツとともに送信される課金ルールを抽出し、
前記抽出された課金ルールを設定するようにした移動通信サービス課金方法。
【請求項１３】
請求項１２に記載の移動通信サービス課金方法において、
前記移動端末から前記コンテンツ配信装置へ送信されるコンテンツ配信要求に含まれる配信元情報を抽出し、
前記抽出した配信元情報に対応するコンテンツ配信装置から送信される課金ルールを、前記情報の内容に応じた課金ルールとして設定するようにした移動通信サービス課金方法。
【請求項１４】
請求項８乃至１３の何れかに記載の移動通信サービス課金方法において、
前記コンテンツ配信装置と前記移動端末との間で送受される情報の情報量を測定し、
前記設定した課金ルールに基づいて、前記測定した情報量に応じた通信料金を計算するようにした移動通信サービス課金方法。
【発明の詳細な説明】
技術分野
本発明は、各種の移動通信サービスにおける通信料金を計算する移動通信サービス課金装置及び移動通信サービス課金方法に関する。
背景技術
近年、移動通信においては、移動端末に対しインターネット上のコンテンツ等様々なコンテンツを配信するサービスが行われている。このようなコンテンツ配信サービスでは、コンテンツ配信に際し、コンテンツ配信装置から移動端末へ送信されるパケットのパケット量や移動端末からコンテンツ配信装置へ送信されるパケットのパケット量を測定し、このパケット量に応じた通信料金が計算される。
しかしながら、上述した従来のコンテンツ配信サービスでは、通信料金はパケット量に応じて決定されており、配信されるコンテンツに応じた通信料金を計算することができなかった。例えば、従来のコンテンツ配信サービスでは、利用価値の高いコンテンツの配信に際しては通信料金を高くし、利用価値の低いコンテンツの配信に際しての通信料金を低くする等、柔軟に通信料金を設定することができなかった。このため、今後の移動通信において柔軟な通信料金の設定を可能とすべく、新たな課金方法が要求されている。
発明の開示
本発明は、上記問題点を解決するものであり、その目的は、通信料金を柔軟に設定することが可能な移動通信サービス課金装置及び移動通信サービス課金方法を提供することにある。
上記の目的を達成するため、本発明の移動通信サービス課金装置は、コンテンツ配信装置から移動端末へのコンテンツの配信に際し、前記コンテンツ配信装置と前記移動端末との間で送受される情報の配信元を抽出する配信元抽出手段と、前記配信元情報抽出手段により抽出された配信元情報及び又は前記情報の内容に基づいて課金ルールを設定する課金ルール設定手段と、前記課金ルール設定手段により設定された課金ルールに基づいて、前記コンテンツの配信に対する通信料金を計算する課金手段とを備える。
このような移動通信サービス課金装置では、配信されるコンテンツ毎に、その内容に応じた課金ルールが設定され、その課金ルールに従ってコンテンツ配信に対する通信料金が計算されるため、通信料金を柔軟に設定することが可能となる。
また、本発明の移動通信サービス課金装置は、前記課金ルールを登録する課金ルール登録手段を備え、前記課金ルール設定手段は、前記課金ルール登録手段により登録された課金ルールの中から、前記情報の内容に基づいて課金ルールを設定するようにした。
また、本発明の移動通信サービス課金装置は、前記配信元抽出手段が前記コンテンツ配信装置から前記移動端末へ配信されるコンテンツとともに送信される当該コンテンツの配信元情報を抽出するようにした。
配信元情報がインターネット上のコンテンツの所在位置を示すＵＲＬ（Ｕｎｉｆｏｒｍ  Ｒｅｓｏｕｒｃｅ  Ｌｏｃａｔｏｒ）等のコンテンツと１対１に対応する情報である場合には、このように、配信元情報に基づいて課金ルールを設定することにより、配信されるコンテンツ毎に課金ルールが設定されるため、通信料金を柔軟に設定することが可能となる。
同様の観点から、本発明の移動通信サービス課金装置は、前記配信元抽出手段が前記移動端末から前記コンテンツ配信装置へ送信されるコンテンツ配信要求に含まれる配信元情報を抽出するようにした。
また、本発明の移動通信サービス課金装置は、前記コンテンツ配信装置から前記移動端末へ配信されるコンテンツとともに送信される課金ルールを抽出する課金ルール抽出手段を備え、前記課金ルール設定手段が前記課金ルール抽出手段により抽出された課金ルールを設定するようにした。
この場合には、コンテンツとともに送信される課金ルールに従って、通信料金が計算されるため、コンテンツ提供者が課金ルールを変更した場合、その変更を直ちに反映することが可能となる。
また、本発明の移動通信サービス課金装置は、前記配信元抽出手段が前記移動端末から前記コンテンツ配信装置へ送信されるコンテンツ配信要求に含まれる配信元情報を抽出し、前記課金ルール設定手段が前記抽出された配信元情報に対応するコンテンツ配信装置から送信される課金ルールを、前記情報の内容に応じた課金ルールとして設定するようにした。
配信元情報がコンテンツと１対１に対応する情報である場合には、このように、配信元情報に基づいて課金ルールを設定することにより、配信されるコンテンツ毎に課金ルールが設定されるため、通信料金を柔軟に設定することが可能となる。
また、本発明の移動通信サービス課金装置は、前記コンテンツ配信装置と前記移動端末との間で送受される情報の情報量を測定する情報量測定手段を備え、前記課金手段が前記課金ルール設定手段により設定された課金ルールに基づいて、前記情報量測定手段により測定された情報量に応じた通信料金を計算するようにした。
また、本発明の移動通信サービス課金方法は、コンテンツ配信装置から移動端末へのコンテンツの配信に際し、前記コンテンツ配信装置と前記移動端末との間で送受される情報の配信元を抽出し、前記抽出した配信元情報及び又は前記情報の内容に基づいて課金ルールを設定し、前記設定した課金ルールに基づいて、前記コンテンツの配信に対する通信料金を計算するようにした。
また、本発明の移動通信サービス課金方法は、前記課金ルールを登録し、前記登録した課金ルールの中から、前記情報の内容に基づいて課金ルールを設定するようにした。
また、本発明の移動通信サービス課金方法は、前記コンテンツ配信装置から前記移動端末へ配信されるコンテンツとともに送信される当該コンテンツの配信元情報を抽出するようにした。
また、本発明の移動通信サービス課金方法は、前記移動端末から前記コンテンツ配信装置へ送信されるコンテンツ配信要求に含まれる配信元情報を抽出するようにした。
また、本発明の移動通信サービス課金方法は、前記コンテンツ配信装置から前記移動端末へ配信されるコンテンツとともに送信される課金ルールを抽出し、前記抽出された課金ルールを設定するようにした。
また、本発明の移動通信サービス課金方法は、前記移動端末から前記コンテンツ配信装置へ送信されるコンテンツ配信要求に含まれる配信元情報を抽出し、前記抽出した配信元情報に対応するコンテンツ配信装置から送信される課金ルールを、前記情報の内容に応じた課金ルールとして設定するようにした。
また、本発明の移動通信サービス課金方法は、前記コンテンツ配信装置と前記移動端末との間で送受される情報の情報量を測定し、前記設定した課金ルールに基づいて、前記測定した情報量に応じた通信料金を計算するようにした。
なお、本発明の他の目的、特徴、利点は、添付図面と共になされる以下の詳細な説明にて、明らかにされる。
発明を実施するための最良の形態
以下、本発明の実施の形態を図面に基づいて、説明する。図１は、本発明の実施の形態に係る移動通信サービス課金装置の構成例を示す図である。
同図に示す移動通信サービス課金装置１００は、コンテンツ配信装置２００の所有者（コンテンツ提供者）によって事前に登録されたコンテンツ毎の課金ルール、又はコンテンツ配信装置２００からコンテンツとともに送信される課金ルールに基づいて、当該コンテンツ配信装置２００と移動端末としての携帯電話機４００との間で送受される情報の情報量に応じた通信料金を計算する。
移動通信サービス課金装置１００は、コンテンツ配信装置２００と接続され、携帯電話網３００を介して携帯電話機４００と接続される。また、この移動通信サービス課金装置１００は、パケット収集装置１１０、課金処理装置１２０、課金情報管理装置１３０を備えて構成される。
パケット収集装置１１０は、コンテンツ配信装置２００から携帯電話機４００へのコンテンツの配信に際し、コンテンツ配信装置２００から携帯電話機４００へ送信されるＴＣＰ（Ｔｒａｎｓｍｉｓｓｉｏｎ  Ｃｏｎｔｒｏｌ  Ｐｒｏｔｏｃｏｌ  ）パケットと、携帯電話機４００からコンテンツ配信装置２００へ送信されるＴＣＰパケットを受信する。
パケット収集装置１１０は、これら受信したＴＣＰパケットのヘッダに含まれる送受信アドレス及び送受信ポート番号を解析し、同一の送受信アドレス及び送受信ポート番号を含むＴＣＰパケットをまとめてＨＴＴＰ（Ｈｙｐｅｒ  Ｔｅｘｔ  Ｔｒａｎｓｆｅｒ  Ｐｒｏｔｏｃｏｌ）データを復元する。
携帯電話機４００からコンテンツ配信装置２００へ送信されるＴＣＰパケットから復元されるＨＴＴＰデータは、携帯電話機４００からコンテンツ配信装置２００へのコンテンツ配信要求であるＨＴＴＰリクエストである。一方、コンテンツ配信装置２００から携帯電話機４００へ送信されるＴＣＰパケットから復元されるＨＴＴＰデータは、上述したＨＴＴＰリクエストに対するコンテンツ配信装置２００の応答であるＨＴＴＰレスポンスである。なお、このＨＴＴＰレスポンスには、配信されるコンテンツのデータが含まれる。
パケット収集装置１１０は、図２に示すように、データ量を測定するデータ量測定部１１２と、ＵＲＬ（Ｕｎｉｆｏｒｍ  Ｒｅｓｏｕｒｃｅ  Ｌｏｃａｔｏｒ）を抽出するＨＴＴＰヘッダ抽出部１１４と、課金処理装置との情報の送受信を行う送受信部１１６とを備える。このパケット収集装置１１０は、復元したＨＴＴＰリクエストやＨＴＴＰレスポンスのデータ量を測定し、その測定結果を課金処理装置１２０へ送信する。また、パケット収集装置１１０は、これら復元したＨＴＴＰリクエストヘッダからコンテンツ配信装置２００内のコンテンツの所在位置を示すＵＲＬ（Ｕｎｉｆｏｒｍ  Ｒｅｓｏｕｒｃｅ  Ｌｏｃａｔｏｒ）を抽出する。この抽出されたコンテンツの所在位置としてのＵＲＬは、コンテンツと１対１に対応する。パケット収集装置１１０は、抽出したＵＲＬを、上述したＨＴＴＰリクエストやＨＴＴＰレスポンスのデータ量の測定結果とともに、課金処理装置１２０へ送信する。
また、コンテンツ配信装置２００からコンテンツとともに課金ルールが送信される場合には、パケット収集装置１１０は、更に復元したＨＴＴＰレスポンスのヘッダから課金ルールを抽出し、この抽出した課金ルールを、当該ＨＴＴＰレスポンスのデータ量の測定結果及びＨＴＴＰリクエストヘッダから抽出したＵＲＬとともに、課金処理装置１２０へ送信する。
課金処理装置１２０は、パケット収集装置１１０から送信されるＵＲＬを受信すると、携帯電話機４００が要求し、当該要求に応じてコンテンツ配信装置２００から配信されるコンテンツに対応する課金ルールを設定する。
具体的には、コンテンツ提供者により課金ルールが事前に登録されている場合には、課金処理装置１２０は、パケット処理装置１１０から受信したＵＲＬを課金情報管理装置１３０へ送信し、課金ルールを問い合わせる。
課金情報管理装置１３０は、コンテンツ提供者により事前に登録された課金ルールと、当該課金ルールに対応するコンテンツの所在位置のＵＲＬとが対応付けられた課金ルールデータベース（図示せず）を所有している。課金情報管理装置１３０は、課金処理装置１２０からのＵＲＬを受信すると、当該ＵＲＬをキーとして課金ルールデータベースを検索し、当該ＵＲＬに対応する課金ルールを取得する。
図３は、課金ルールの一例を示す図である。同図に示す課金ルールは、携帯電話機４００のユーザとコンテンツ提供者とが通信料をどのような割合で負担するかについて定めた課金ルールの一例である。課金ルールは、この他にもさまざまなものが考えられる。例えば、平日は通常の通信料であり休日は割り引いた通信料、昼間は通常の通信料であり夜間は割り引いた通信料というように、時間帯で通信料が変更されるように定められた課金ルール等がある。
課金情報管理装置１３０は、このようにして取得した課金ルールを課金処理装置１２０へ送信する。課金処理装置１２０は、この課金ルールを受信し、通信料金計算に用いる課金ルールとして設定する。そして、課金処理装置１２０は、この設定した課金ルールに従って、当該課金ルールに対応するＵＲＬを含んだＨＴＴＰリクエストやＨＴＴＰレスポンスのデータ量に応じた通信料金計算を行う。
一方、コンテンツ配信装置２００からコンテンツとともに課金ルールが送信される場合には、課金処理装置１２０は、パケット収集装置１１０から送信される課金ルールを受信する。
次に、課金処理装置１２０は、この受信した課金ルールを通信料金計算に用いる課金ルールとして設定する。そして、課金処理装置１２０は、この設定した課金ルールに従って、当該課金ルールをヘッダに含んだＨＴＴＰレスポンスのデータ量に応じた通信料金計算を行うとともに、当該ＨＴＴＰレスポンスに対応するＨＴＴＰリクエストのデータ量に応じた通信料金計算を行う。
なお、ＨＴＴＰレスポンスに対応するＨＴＴＰリクエストは、パケット収集装置１１０により判断され、課金処理装置１２０に通知される。課金処理装置１２０は、ＨＴＴＰリクエストヘッダ内のＵＲＬと、パケット収集装置１１０から通知された、対応するＨＴＴＰレスポンスヘッダ内の課金ルールを、当該ＨＴＴＰ通信のデータ量に応じた通信料金計算に用いる課金ルールとして、通信料金の計算を行う。
次に、シーケンス図を用いて、コンテンツ提供者によってコンテンツ毎の課金ルールが事前に登録される第１実施例における移動通信サービス課金装置１００の動作と、コンテンツ配信装置２００からコンテンツとともに課金ルールが送信される第２実施例における移動通信サービス課金装置１００の動作とを説明する。
図４は、第１実施例における移動通信サービス課金装置１００の動作を示すシーケンス図である。課金情報管理装置１３０は、コンテンツ提供装置２００から送信される課金ルールのデータを受信し、この課金ルールを予め課金ルールデータベース（ＤＢ）に登録する（ステップ１０１）。
課金ルールが課金ルールＤＢに登録された後、パケット収集装置１１０は、コンテンツ配信装置２００から携帯電話機４００へのコンテンツの配信に際し、携帯電話機４００から送信される、ＨＴＴＰリクエストを構成するＴＣＰパケットを受信するとともに、これらＴＣＰパケットをコンテンツ配信装置２００へ中継する（ステップ１０２）。
また、パケット収集装置１１０は、このＨＴＴＰリクエストに応じてコンテンツ配信装置２００から送信される、ＨＴＴＰレスポンスを構成するＴＣＰパケットを受信するとともに、これらＴＣＰパケットを携帯電話機４００へ中継する（ステップ１０３）。
パケット収集装置１１０は、これら受信したＴＣＰパケットからＨＴＴＰリクエスト及びＨＴＴＰレスポンスを復元する。そして、パケット収集装置１１０は、これらＨＴＴＰリクエスト及びＨＴＴＰレスポンスのデータ量を測定するとともに、ＨＴＴＰリクエストヘッダからＵＲＬを抽出する（ステップ１０４）。次にパケット収集装置１１０は、測定したＨＴＴＰリクエスト及びＨＴＴＰレスポンスのデータ量と、抽出したＵＲＬとを課金処理装置１２０へ送信する（ステップ１０５、１０６）。
課金処理装置１２０は、ＨＴＴＰリクエスト及びＨＴＴＰレスポンスのデータ量とＵＲＬとを受信すると、ＵＲＬを課金情報管理装置１３０へ送信し、課金ルールを問い合わせる（ステップ１０７）。
課金情報管理装置１３０は、課金処理装置１２０からのＵＲＬを受信すると、当該ＵＲＬをキーとして課金ルールデータベースを検索し、当該ＵＲＬに対応する課金ルールを取得する（ステップ１０８、１０９）。課金情報管理装置１３０は、このようにして取得した課金ルールを課金処理装置１２０へ送信する（ステップ１１０）。
課金処理装置１２０は、この課金ルールを受信すると、通信料金計算に用いる課金ルールとして設定する。そして、課金処理装置１２０は、この設定した課金ルールに従って、当該課金ルールに対応するＵＲＬを含んだＨＴＴＰリクエストやＨＴＴＰレスポンスのデータ量に応じた通信料金計算を行う（ステップ１１１）。
図５は、第２実施例における移動通信サービス課金装置１００の動作を示すシーケンス図である。パケット収集装置１１０は、コンテンツ配信装置２００から携帯電話機４００へのコンテンツの配信に際し、携帯電話機４００から送信される、ＨＴＴＰリクエストを構成するＴＣＰパケットを受信するとともに、これらＴＣＰパケットをコンテンツ配信装置２００へ中継する（ステップ２０１）。
また、パケット収集装置１１０は、このＨＴＴＰリクエストに応じてコンテンツ配信装置２００から送信される、ＨＴＴＰレスポンスを構成するＴＣＰパケットを受信するとともに、これらＴＣＰパケットを携帯電話機４００へ中継する（ステップ２０２）。
パケット収集装置１１０は、これら受信したＴＣＰパケットからＨＴＴＰリクエスト及びＨＴＴＰレスポンスを復元する。そして、パケット収集装置１１０は、これらＨＴＴＰリクエスト及びＨＴＴＰレスポンスのデータ量を測定する。また、パケット収集装置１１０は、ＨＴＴＰリクエストヘッダからＵＲＬを抽出するとともに、ＨＴＴＰレスポンスのヘッダから課金ルールを抽出する（ステップ２０３）。
次にパケット収集装置１１０は、測定したＨＴＴＰリクエスト及びＨＴＴＰレスポンスのデータ量と、抽出したＵＲＬ及び課金ルールとを課金処理装置１２０へ送信する（ステップ２０４〜２０６）。
課金処理装置１２０は、ＨＴＴＰリクエスト及びＨＴＴＰレスポンスのデータ量、ＵＲＬ及び課金ルールを受信すると、当該受信した課金ルールを通信料金計算に用いる課金ルールとして設定する。そして、課金処理装置１２０は、この設定した課金ルールに従って、当該課金ルールをヘッダに含んだＨＴＴＰレスポンスのデータ量に応じた通信料金計算を行うとともに、当該ＨＴＴＰレスポンスに対応するＨＴＴＰリクエストのデータ量に応じた通信料金計算を行う（ステップ２０７）。
このように、本実施形態の移動通信サービス課金装置１００は、コンテンツ提供者からの課金ルールを予め課金ルールＤＢに登録しておき、コンテンツ配信装置２００から携帯電話機４００へのコンテンツの配信に際し、コンテンツ配信装置２００と携帯電話機４００との間で送受されるＴＣＰパケットからＨＴＴＰリクエスト及びＨＴＴＰレスポンスを復元し、これらＨＴＴＰリクエスト及びＨＴＴＰレスポンスのデータ量を測定するとともに、ＨＴＴＰリクエストヘッダからＵＲＬを抽出する。そして、移動通信サービス課金装置１００は、抽出したＵＲＬに対応する課金ルールを課金ルールＤＢから取得し、当該課金ルールを通信料金計算に用いる課金ルールとして設定した上で、ＨＴＴＰリクエストやＨＴＴＰレスポンスのデータ量に応じた通信料金計算を行う。
また、本実施形態の移動通信サービス課金装置１００は、コンテンツ配信装置２００から携帯電話機４００へのコンテンツの配信に際し、コンテンツ配信装置２００と携帯電話機４００との間で送受されるＴＣＰパケットからＨＴＴＰリクエスト及びＨＴＴＰレスポンスを復元し、これらＨＴＴＰリクエスト及びＨＴＴＰレスポンスのデータ量を測定するとともに、ＨＴＴＰリクエストヘッダからＵＲＬを抽出し、更にＨＴＴＰレスポンスから課金ルールを抽出する。そして、移動通信サービス課金装置１００は、抽出した課金ルールを通信料金計算に用いる課金ルールとして設定した上で、ＨＴＴＰリクエストやＨＴＴＰレスポンスのデータ量に応じた通信料金計算を行う。
即ち、配信されるコンテンツ毎に課金ルールが設定され、その課金ルールに従ってコンテンツ配信装置２００と携帯電話機３００との間で送受されるＨＴＴＰリクエストやＨＴＴＰレスポンスのデータ量に応じた通信料が計算されるため、通信料金を柔軟に設定することが可能となる。
なお、上述した実施形態では、移動通信サービス課金装置１００は、ＨＴＴＰリクエストヘッダからＵＲＬを抽出し、この抽出したＵＲＬに対応する課金ルールを通信料金計算に用いる課金ルールとして設定したが、ＨＴＴＰレスポンスに含まれるコンテンツデータの拡張子を抽出して、当該拡張子に対応する課金ルールを設定するようにしても良い。この場合は、コンテンツデータの拡張子により当該コンテンツの内容が識別可能であるため、上述した実施形態と同様、配信されるコンテンツ毎に課金ルールを設定することが可能となる。
上述の如く、本願発明によれば、配信されるコンテンツ毎に課金ルールが設定され、その課金ルールに従ってコンテンツの配信に対する通信料金が計算されるため、通信料金を柔軟に設定することが可能となる。
【図面の簡単な説明】
図１は、移動通信サービス課金装置の構成例を示す図である。
図２は、パケット収集装置の構成例を示す図である。
図３は、課金ルールの一例を示す図である。
図４は、第１実施例における移動通信サービス課金装置の動作を示すシーケンス図である。
図５は、第２実施例における移動通信サービス課金装置の動作を示すシーケンス図である。
【図１】
2002093835.tif 000003
【図２】
2002093835.tif 000004
【図３】
2002093835.tif 000005
【図４】
2002093835.tif 000006
【図５】
2002093835.tif 000007
【国際調査報告】
2002093835.tif 000008
2002093835.tif 000009
2002093835.tif 000010
2002093835.tif 000011